(57)【要約】      （修正有）【課題】対応範囲を拡大させて電源プラグを差込むことができるホットカーラー用プラグイン加熱器を提供する。【解決手段】本体ケース１の背面に、本体ケースの上面１０から下面１３に亘って形成されたプラグ格納溝１５の下側位置に電源プラグ２の基端部が軸着され、軸着部を中心として電源プラグが上向き格納位置Ｐ１と、背面突出位置Ｐ２と、下面突出位置Ｐ３とに位置決め可能に形成され、かつ電源プラグを前記各位置に位置決め固定するためのロック手段３，４を備えている。【選択図】図１
0003151847.tif 000002
【実用新案登録請求の範囲】
【請求項１】
本体ケース（１）の上面（１０）にホットカーラー用のスタンドボス（１１）が突設され、このスタンドボスの内部にホットカーラー（Ｈ）の差込み端子（Ｔ）を接続させるための端子用ソケット（１２）が設けられ、この端子用ソケットに電気接続された電源プラグ（２）が前記本体ケースに組み付けられているホットカーラー用プラグイン加熱器において、
前記本体ケースの背面（１４）に、本体ケースの上面から下面（１３）に亘ってプラグ格納溝（１５）が形成され、
このプラグ格納溝内の下側位置に前記電源プラグの基端部が軸着され、
この軸着部を中心として前記電源プラグが、その先端部を本体ケースの上面から若干突出させた上向き格納位置（Ｐ１）と、先端側を本体ケースの背面から突出させた背面突出位置（Ｐ２）と、先端側を本体ケースの下面から突出させた下面突出位置（Ｐ３）とに位置決め可能に形成され、
かつ電源プラグを前記上向き格納位置と、背面突出位置と、下面突出位置に位置決め固定するためのロック手段（３），（４）を備えていることを特徴とするホットカーラー用プラグイン加熱器。
【考案の詳細な説明】
【技術分野】
【０００１】
本考案は、ホットカーラーを着脱可能に取り付けて所定の温度に加熱するためのもので、本体ケースに電源プラグを組み付けたホットカーラー用プラグイン加熱器に関する。
【背景技術】
【０００２】
ホットカーラーを加熱するための加熱器は、その本体ケースの上面にスタンドボスが突設され、このスタンドボスの内部に端子用ソケットが設けられている。
そして、前記スタンドボスにホットカーラーを上から被せるように嵌め込んで差込み端子を端子用ソケットに差込むことにより、ホットカーラーの内部に組み込んだ発熱素子を発熱させてホットカーラーを加熱させるようになっている。
前記端子用ソケットにはＡＣ電源から給電させるものであるが、この給電手段として本体ケースに電源プラグを組み付けるようにしたホットカーラー用の加熱器は見当たらない。
【０００３】
ただ、従来、給電手段として本体ケースに電源プラグを組み付けるようにしたプラグイン電気機器が知られている（特許文献１参照）。
この従来のプラグイン電気機器は、本体ケースの下面に電源プラグが折り畳み可能に設けられたもので、この電源プラグを本体ケースの下面に沿った格納位置と、本体ケースの下面から下向きに突出した下向き突出位置とに位置決め可能に形成されている。
このように、従来のプラグイン電気機器は、電源プラグを格納位置と突出位置との２つの位置に位置決め可能であるが、突出位置が１つの向きしかないものであった。
【先行技術文献】
【特許文献】
【０００４】
【特許文献１】特開２０００−２７７２０１号公報
【考案の概要】
【考案が解決しようとする課題】
【０００５】
近年、旅行先でも髪のおしゃれができるように、ホットカーラーを携帯している人を多く見かけるようになったが、このホットカーラーを使用するためには、加熱器についてもこれを携帯する必要が生じる。
旅行先では、その宿泊施設などで電源コンセントから加熱器に電気を給電させることになるが、その電源コンセントの位置は、例えば壁にあったり、床の近くにあったり、洗面台にあったり、机にあったり、ベッド等の設備の隅にあったり、或いは延長コード付きコンセントを使用したり、宿泊施設等によって電源コンセントの場所が様々に異なる。
【０００６】
従来のプラグイン電気機器では、電源プラグを格納位置に位置決めさせると、この電源プラグを本体ケース内に納めることができるため、コンパクトに形成できるという利点はある。
しかしながら、使用に際しては、電源プラグの突出位置が１つの向きしかないため、電源コンセントの場所によっては電源プラグを電源コンセントに差込むことが困難になる。
特に、ホットカーラー用加熱器では、ホットカーラーをスタンドボスに取り付けると、その全体高さが高くなるため電源プラグの差込み方向に制約が生じ易くなり、電源プラグを電源コンセントに差込むことができない事態が生じることがあるという問題があった。
【０００７】
本考案は電源プラグを、１つの格納位置と、２つの突出位置とに位置決め可能に形成させたもので、電源プラグを格納位置に位置決めさせることでコンパクトに形成できるようにさせ、特に、電源プラグの突出位置に直角方向（背面突出方向と下面突出方向）の２つの向きを設けることで、宿泊施設などで電源コンセントの場所が異なっている場合でも、対応範囲を拡大させて電源プラグを差込むことができるようにしたホットカーラー用プラグイン加熱器を提供することを課題としている。
【課題を解決するための手段】
【０００８】
上記課題を解決するために、本考案のホットカーラー用プラグイン加熱器（以下、「プラグイン加熱器」と略称する）は、
本体ケース（１）の上面（１０）にホットカーラー用のスタンドボス（１１）が突設され、このスタンドボスの内部にホットカーラー（Ｈ）の差込み端子（Ｔ）を接続させるための端子用ソケット（１２）が設けられ、この端子用ソケットに電気接続された電源プラグ（２）が前記本体ケースに組み付けられているホットカーラー用プラグイン加熱器において、
前記本体ケースの背面（１４）に、本体ケースの上面から下面（１３）に亘ってプラグ格納溝（１５）が形成され、
このプラグ格納溝内の下側位置に前記電源プラグの基端部が軸着され、
この軸着部を中心として前記電源プラグが、その先端部を本体ケースの上面から若干突出させた上向き格納位置（Ｐ１）と、先端側を本体ケースの背面から突出させた背面突出位置（Ｐ２）と、先端側を本体ケースの下面から突出させた下面突出位置（Ｐ３）とに位置決め可能に形成され、
かつ電源プラグを前記上向き格納位置と、背面突出位置と、下面突出位置に位置決め固定するためのロック手段（３），（４）を備えている構成した。
【考案の効果】
【０００９】
本考案のプラグイン加熱器は、電源プラグが、上向き格納位置と、背面突出位置と、下面突出位置とに位置決め可能に形成されている構成に特徴がある。
従って、電源プラグを上向き格納位置に位置決めさせれば、この電源プラグが本体ケース内に納まり、本体ケースから大きく突出することがないためプラグイン加熱器の全体外形をコンパクトに形成できる。
また、上向き格納位置では電源プラグの先端が本体ケースの上面から若干突出するもので、電源プラグを上向き格納位置から突出位置に移動させる際に、その突出した先端部を手掛りとすることができる。
【００１０】
また、電源プラグの２つの突出位置である背面突出位置と下面突出位置とは、その突出方向が直角であるため、この直角な２方向の突出位置のうちから電源プラグの差込み方向を任意に選択することができ、宿泊施設などで電源コンセントの場所が異なっている場合でも対応範囲を２倍にして電源プラグを差込むことができる。
【図面の簡単な説明】
【００１１】
【図１】本考案の実施例にかかるプラグイン加熱器の要部を示す断面図。
【図２】そのプラグイン加熱器の要部を示す断面図。
【図３】そのプラグイン加熱器の背面図。
【図４】そのプラグイン加熱器の使用状態を示す斜視図。
【図５】そのプラグイン加熱器を示す斜視図。
【図６】そのプラグイン加熱器を上下反転した状態を示す斜視図。
【図７】そのプラグイン加熱器を上下反転した状態を示す斜視図。
【考案を実施するための形態】
【００１２】
本実施例のプラグイン加熱器は、上側ケース１ａと下側ケース１ｂで組み立てられた本体ケース１を備えている。
この本体ケース１の上面１０には、それぞれホットカーラーＨを着脱可能に取り付けるための２つのスタンドボス１１が突設されている。
このスタンドボス１１の内部には端子用ソケット１２（図３で示す）が設けられている。
【００１３】
使用に際しては、図４に示すように、前記スタンドボス１１にホットカーラーＨを上から被せるように嵌め込んで差込み端子Ｔを端子用ソケット１２に差込むもので、これによりホットカーラーＨの内部に組み込んだ発熱素子（図示せず）を発熱させてホットカーラーＨを加熱させることができる。なお、図４において、符号Ｓは電源ソケット用カバーを示している。
【００１４】
前記前記本体ケース１には、給電手段として電源プラグ２が組み付けられ、この電源プラグ２が前記端子用ソケット１２にリード線やヒューズなどの配線部品（図示省略）を介して電気接続されている。
【００１５】
前記電源プラグ２は、２本の平行なプラグ刃２ａ，２ａによって形成され、その基端部が前記本体ケース１の背面１４に、本体ケース１の上面１０から下面１３に亘って形成されたプラグ格納溝１５内に絶縁体による回転軸２０によって軸着されている。
【００１６】
そして、前記電源プラグ２は、その先端部を本体ケース１の上面１０から若干突出させた上向き格納位置Ｐ１と、先端側を本体ケースの背面から突出させた背面突出位置Ｐ２と、先端側を本体ケースの下面から突出させた下面突出位置Ｐ３とに位置決め可能に形成されている。
このように、電源プラグ２を上向き格納位置Ｐ１と、背面突出位置Ｐ２と、下面突出位置Ｐ３とに位置決めさせることができるように、この電源プラグ２を、その基端部において前記プラグ格納溝１５の下側位置に軸着させている。
【００１７】
なお、図１は電源プラグ２を上向き格納位置Ｐ１に位置決めさせた状態を実線で示し、背面突出位置Ｐ２及び下面突出位置Ｐ３を仮想線で示している。
また、図２は電源プラグ２を背面突出位置Ｐ２に位置決めさせた状態を実線で示し、上向き格納位置Ｐ１及び下面突出位置Ｐ３を仮想線で示している。
図３は電源プラグ２を上向き格納位置Ｐ１に位置決めさせた状態を実線で示し、下面突出位置Ｐ３を仮想線で示している。
図５は電源プラグ２を上向き格納位置Ｐ１に、図６は背面突出位置Ｐ２に、図７は下面突出位置Ｐ３に位置決めさせた状態を示している。
【００１８】
電源プラグ２は、本体ケース１に形成したブラケット１６に回転軸２０が軸着されることで、前記上向き格納位置Ｐ１と下面突出位置Ｐ３との間を上下方向に回転可能に形成され、その上で前記各位置Ｐ１，Ｐ２，Ｐ３にロック手段で位置決め固定されるものである。
このロック手段による位置決め固定によって電源プラグ２を各位置Ｐ１，Ｐ２，Ｐ３に確実に固定させ、電源プラグ２と本体ケース１との相対的な動きを規制させて安全性を確保することできる。
【００１９】
実施例のロック手段は、電源プラグ２の回転軸２０に一体に形成した係止部材３と、本体ケース１の前後方向（図１及び図２の矢印Ａ方向）にロック位置（図１の位置）とロック解除位置（図２の位置）との間をスライドして前記係止部材３に着脱可能に係合するロック部材４で形成されている。
【００２０】
前記係止部材３は、前記回転軸２０の軸直交方向の断面形状が正方形になるように形成され、その正方形の４面のうち、電源プラグ２が前記各位置Ｐ１，Ｐ２，Ｐ３に位置したときに本体ケース１の正面１７側に向く３つの面にそれぞれ係止孔３０が形成されている。
【００２１】
前記ロック部材４は、本体ケース１に一体に形成したガイド部材４５に前後方向にスライド可能に支持され、前記電源プラグ２が各位置Ｐ１，Ｐ２，Ｐ３に位置決めされた状態で前記係止部材３の正面及び上面に面接触する直角面４０と、前記係止孔３０に係合するストッパ突起４１とを備えている。
また、前記ロック部材４は、本体ケース１の下面１３に前後方向に長く形成した長孔４２を介して指当て板４３に連結されると共に、常時はスプリング４４によって前記係止部材３に向いた方向に付勢されている。
【００２２】
従って、前記電源プラグ２は、プラグイン加熱器の不使用時は上向き格納位置Ｐ１に位置決めさせておくもので、このとき、図１に示すように、ロック部材４がロック位置において係止部材３の正面及び上面に直角面４０を面接触させると共に、係止孔３０にストッパ突起４１を係合させるため、電源プラグ２を上向き格納位置Ｐ１に位置決め固定させることができる。
【００２３】
また、プラグイン加熱器を使用するに際しては、電源プラグ２を、電源ソケットの場所に応じて図６に示す背面突出位置Ｐ２と図７に示す下面突出位置Ｐ３の何れかを選択して位置決めさせる。
この場合、前記指当て板４３に指先を当てて正面１７側方向（図１、図６、図７の矢印Ｂ方向）に移動させることでロック部材４をスプリング４４の付勢に抗して正面１７方向にスライドさせる。
これにより、ロック部材４が図１に示すロック位置から図２に示すロック解除位置に移動して係止部材３から離反するため、電源プラグ２を回転軸２０を中心として上下方向に回転させることができるようになる。
そして、電源プラグ２を背面突出位置Ｐ２又は下面突出位置Ｐ３に移動させた状態で、指当て板４３から指を放せば、ロック部材４がスプリング４４の付勢によってロック解除位置からロック位置に移動し、電源プラグ２を背面突出位置Ｐ２又は下面突出位置Ｐ３に位置決め固定させることができる。
【００２４】
以上のように、電源プラグ２を上向き格納位置Ｐ１に位置決めさせれば、この電源プラグ２を本体ケース１の背面１４に形成したプラグ格納溝１５内に納めることができ、本体ケース１から大きく突出することがないためプラグイン加熱器の全体外形をコンパクトに形成でき、携帯用として有効に使用できる。
なお、本体ケース１の上面１０には元々スタンドボス１１が突設されているため、この本体ケース１の上面１０から電源プラグ２の先端部が突出したとしても支障がないし、このように電源プラグ２の先端を本体ケース１の上面１０から若干突出させることで、その突出した先端部を手掛りとすることができる。
【００２５】
また、使用に際し、電源プラグ２を背面突出位置Ｐ２又は下面突出位置Ｐ３に任意に位置決めできるため、宿泊施設などで電源コンセントの場所が異なっている場合でも、これに対応して電源プラグ２を差込むことができる。
【００２６】
なお、外国で使用する場合、国によって電源コンセントの形状が異なるため、本考案の電源プラグを使用できない場合は、その国の電源コンセントの形状に応じた電源プラグ用アダプターを使用する。
【符号の説明】
【００２７】
１  本体ケース
１０  上面
１１  スタンドボス
１２  端子用ソケット
１３  下面
１４  背面
１５  プラグ格納溝
１７  正面
２  電源プラグ
２０  回転軸
３  係止部材（ロック手段）
３０  係止孔
４  ロック部材（ロック手段）
４０  直角面
４１  ストッパ突起
４３  指当て板
４４  スプリング
４５  ガイド部材
Ｈ  ホットカーラー
Ｐ１  上向き格納位置
Ｐ２  背面突出位置
Ｐ３  下面突出位置
【図１】
0003151847.tif 000003
【図２】
0003151847.tif 000004
【図３】
0003151847.tif 000005
【図４】
0003151847.tif 000006
【図５】
0003151847.tif 000007
【図６】
0003151847.tif 000008
【図７】
0003151847.tif 000009